【手続補正書】
【提出日】平成27年9月4日(2015.9.4)
【手続補正１】
【補正対象書類名】特許請求の範囲
【補正対象項目名】全文
【補正方法】変更
【補正の内容】
【特許請求の範囲】
【請求項１】
複数の演出装置と、
遊技者が操作することができない第１操作手段と、
遊技者が操作することができる第２操作手段と、
遊技の進行を制御するとともに該遊技の進行に関する各種情報を記憶することができる記憶手段を有する遊技制御手段と、
該遊技制御手段からの指示情報に基づいて前記複数の演出装置を制御することができる演出制御手段と、
を備える遊技機であって、
前記遊技制御手段は、
前記記憶手段を初期化する初期化制御手段と、
復電時において前記第１操作手段が操作されることに基づいて前記初期化制御手段による前記記憶手段を初期化することができる第１初期化実行制御手段と、
復電時において前記第１操作手段が操作されないことに基づいて前記初期化制御手段による前記記憶手段を初期化することができる第２初期化実行制御手段と、
前記記憶手段が初期化された旨を初期化情報として出力する初期化情報出力制御手段と、
を含み、
前記第１初期化実行制御手段により前記記憶手段を初期化する場合には前記第２初期化実行制御手段により当該記憶手段を初期化しない一方、
前記第１初期化実行制御手段により前記記憶手段を初期化しない場合には予め定めた条件が成立することに基づいて前記第２初期化実行制御手段により当該記憶手段を初期化し、
前記演出制御手段は、
前記初期化情報出力制御手段からの前記初期化情報を記憶することができる初期化情報記憶手段と、
前記複数の演出装置を所定の態様に駆動することができる駆動制御手段と、
を含み、
前記初期化情報記憶手段に前記初期化情報が記憶されている場合には予め定めた期間が経過するまで前記駆動制御手段により前記複数の演出装置を初期化報知態様に駆動して初期化報知を行い、
該初期化報知を行っている状態において、前記第２操作手段が操作されたことに対応して、当該駆動制御手段により当該複数の演出装置のうち一の演出装置を前記初期化報知態様に駆動して前記初期化報知を継続するとともに他の演出装置を当該初期化報知態様から操作確認報知態様に駆動して当該初期化報知から操作確認報知に切り替えることを特徴とする遊技機。
【請求項２】
前記操作確認報知は、発光素子による報知であることを特徴とする請求項１に記載の遊技機。
【請求項３】
前記遊技機はパチンコ遊技機であることを特徴とする請求項１又は２に記載の遊技機。
【手続補正２】
【補正対象書類名】明細書
【補正対象項目名】発明の名称
【補正方法】変更
【補正の内容】
【発明の名称】遊技機
【手続補正３】
【補正対象書類名】明細書
【補正対象項目名】０００１
【補正方法】変更
【補正の内容】
【０００１】
本発明は、遊技機に関するものである。
【手続補正４】
【補正対象書類名】明細書
【補正対象項目名】０００２
【補正方法】変更
【補正の内容】
【０００２】
従来より、演出スイッチを有効とする操作有効期間内に演出スイッチが操作されると、遊技盤ランプの点灯により報知することで演出スイッチの不具合を確認するための演出スイッチの検査作業を行うことができる遊技機が提案されている（例えば、特許文献１）。
【手続補正５】
【補正対象書類名】明細書
【補正対象項目名】０００３
【補正方法】変更
【補正の内容】
【０００３】
特許文献１に記載される遊技機では、電源投入時のほかに、瞬停が発生して電力が回復した後においても、操作有効期間が必ず有効となる。
【手続補正６】
【補正対象書類名】明細書
【補正対象項目名】０００４
【補正方法】変更
【補正の内容】
【０００４】
特許文献１に記載される遊技機では、遊技者が遊技を行っている際に、瞬停が発生すると、遊技者が遊技機の対面に着座した状態で電力が回復することとなる。
【手続補正７】
【補正対象書類名】明細書
【補正対象項目名】０００５
【補正方法】変更
【補正の内容】
【０００５】
【特許文献１】特開２００６−３１１９６０号公報
【手続補正８】
【補正対象書類名】明細書
【補正対象項目名】０００６
【補正方法】変更
【補正の内容】
【０００６】
ところが、遊技者が遊技を行っている際に、瞬停が発生すると、遊技が突然中断されるため、遊技者は思わず演出スイッチを連打するおそれがある。そうすると、瞬停が発生してから電力が回復したときには、操作有効期間が有効となるので演出スイッチが操作されていると、遊技者自身の演出スイッチの連打によって本来必要のない演出スイッチの検査作業を行うこととなり、遊技者に違和感を与えるおそれがある。
【手続補正９】
【補正対象書類名】明細書
【補正対象項目名】０００７
【補正方法】変更
【補正の内容】
【０００７】
本発明は、このような事情に鑑みてなされたものであり、その目的とするところは、遊技者に違和感を与えることなく、不具合を確認することができる遊技機を提供することにある。
【手続補正１０】
【補正対象書類名】明細書
【補正対象項目名】０００９
【補正方法】変更
【補正の内容】
【０００９】
（解決手段１）
複数の演出装置と、遊技者が操作することができない第１操作手段と、遊技者が操作することができる第２操作手段と、遊技の進行を制御するとともに該遊技の進行に関する各種情報を記憶することができる記憶手段を有する遊技制御手段と、該遊技制御手段からの指示情報に基づいて前記複数の演出装置を制御することができる演出制御手段と、を備える遊技機であって、前記遊技制御手段は、前記記憶手段を初期化する初期化制御手段と、復電時において前記第１操作手段が操作されることに基づいて前記初期化制御手段による前記記憶手段を初期化することができる第１初期化実行制御手段と、復電時において前記第１操作手段が操作されないことに基づいて前記初期化制御手段による前記記憶手段を初期化することができる第２初期化実行制御手段と、前記記憶手段が初期化された旨を初期化情報として出力する初期化情報出力制御手段と、を含み、記第１初期化実行制御手段により前記記憶手段を初期化する場合には前記第２初期化実行制御手段により当該記憶手段を初期化しない一方、前記第１初期化実行制御手段により前記記憶手段を初期化しない場合には予め定めた条件が成立することに基づいて前記第２初期化実行制御手段により当該記憶手段を初期化し、前記演出制御手段は、前記初期化情報出力制御手段からの前記初期化情報を記憶することができる初期化情報記憶手段と、前記複数の演出装置を所定の態様に駆動することができる駆動制御手段と、を含み、前記初期化情報記憶手段に前記初期化情報が記憶されている場合には予め定めた期間が経過するまで前記駆動制御手段により前記複数の演出装置を初期化報知態様に駆動して初期化報知を行い、該初期化報知を行っている状態において、前記第２操作手段が操作されたことに対応して、当該駆動制御手段により当該複数の演出装置のうち一の演出装置を前記初期化報知態様に駆動して前記初期化報知を継続するとともに他の演出装置を当該初期化報知態様から操作確認報知態様に駆動して当該初期化報知から操作確認報知に切り替えることを特徴とする遊技機。
【手続補正１１】
【補正対象書類名】明細書
【補正対象項目名】００１０
【補正方法】変更
【補正の内容】
【００１０】
この遊技機では、複数の演出装置、第１操作手段、第２操作手段、遊技制御手段、演出制御手段を備えている。第１操作手段は、遊技者が操作することができないものである。第２操作手段は、遊技者が操作することができるものである。遊技制御手段は、遊技の進行を制御することができるものであり、遊技の進行に関する各種情報を記憶することができる記憶手段を有している。演出制御手段は、遊技制御手段からの指示情報に基づいて複数の演出装置を制御することができるものである。
【手続補正１２】
【補正対象書類名】明細書
【補正対象項目名】００１１
【補正方法】削除
【補正の内容】
【手続補正１３】
【補正対象書類名】明細書
【補正対象項目名】００１２
【補正方法】変更
【補正の内容】
【００１２】
遊技制御手段は、初期化制御手段、第１初期化実行制御手段、第２初期化実行制御手段、初期化情報出力制御手段を含んでいる。初期化制御手段は、記憶手段を初期化することができるものである。第１初期化実行制御手段は、復電時において第１操作手段が操作されることに基づいて初期化制御手段による記憶手段を初期化することができるものである。第２初期化実行制御手段は、復電時において第１操作手段が操作されないことに基づいて初期化制御手段による記憶手段を初期化することができるものである。初期化情報出力制御手段は、記憶手段が初期化された旨を初期化情報として出力することができるものである。遊技制御手段は、第１初期化実行制御手段により記憶手段を初期化する場合には第２初期化実行制御手段により記憶手段を初期化しない一方、第１初期化実行制御手段により記憶手段を初期化しない場合には予め定めた条件が成立することに基づいて第２初期化実行制御手段により記憶手段を初期化する。
【手続補正１４】
【補正対象書類名】明細書
【補正対象項目名】００１３
【補正方法】変更
【補正の内容】
【００１３】
演出制御手段は、初期化情報記憶手段、駆動制御手段を含んでいる。初期化情報記憶手段は、初期化情報出力制御手段からの初期化情報を記憶することができるものである。駆動制御手段は、複数の演出装置を所定の態様に駆動することができるものである。演出制御手段は、初期化情報記憶手段に初期化情報が記憶されている場合には予め定めた期間が経過するまで駆動制御手段により複数の演出装置を初期化報知態様に駆動して初期化報知を行い、この初期化報知を行っている状態において、第２操作手段が操作されたことに対応して、駆動制御手段により複数の演出装置のうち一の演出装置を初期化報知態様に駆動して初期化報知を継続するとともに他の演出装置を初期化報知態様から操作確認報知態様に駆動して初期化報知から操作確認報知に切り替える。
【手続補正１５】
【補正対象書類名】明細書
【補正対象項目名】００１４
【補正方法】変更
【補正の内容】
【００１４】
（解決手段２）
解決手段１に記載の遊技機であって、前記操作確認報知は、発光素子による報知であることを特徴とする遊技機。
（解決手段３）
解決手段１又は２に記載の遊技機であって、前記遊技機はパチンコ遊技機であることを特徴とする遊技機。
【手続補正１６】
【補正対象書類名】明細書
【補正対象項目名】００１５
【補正方法】変更
【補正の内容】
【００１５】
本実施形態では、例えば、図１のスピーカ３６、光源２７ａ，２７ｂが複数の演出装置に相当し、図３のＲＡＭクリアスイッチ１０１ｄが第１操作手段に相当し、図１の演出選択スイッチ３８が第２操作手段に相当し、図１６のＲＡＭ１０１ｃが記憶手段に相当し、図１６の主制御基板１０１が遊技制御手段に相当し、図１６のサブ統合基板１１１が演出制御手段に相当し、図１のパチンコ機１が遊技機に相当し、図２４の電源投入時処理におけるステップＳ４２の処理が初期化制御手段に相当し、図２４の電源投入時処理におけるステップＳ３０の判定でステップＳ４２へ進む処理が第１初期化実行制御手段に相当し、図２４の電源投入時処理におけるステップＳ３４又はステップＳ３６の判定でステップＳ４２へ進む処理が第２初期化実行制御手段に相当し、図２５のタイマ割り込み処理におけるステップＳ９２のサブ統合基板コマンド送信処理が初期化情報出力制御手段に相当し、図１６のサブ統合基板１１１のＲＡＭ１１１ｃに設けたリングバッファが初期化情報記憶手段に相当し、図３１の音響電飾装置及びサイド装飾装置出力処理が駆動制御手段に相当する。
【手続補正１７】
【補正対象書類名】明細書
【補正対象項目名】００１６
【補正方法】変更
【補正の内容】
【００１６】
本発明の遊技機においては、遊技者に違和感を与えることなく、不具合を確認することができる。
【手続補正１８】
【補正対象書類名】明細書
【補正対象項目名】０３６１
【補正方法】変更
【補正の内容】
【０３６１】
１…パチンコ機（遊技機）、２…外枠、３…本体枠、４…遊技盤、５…前面枠、１２…遊技領域、２７…サイド装飾装置、２７ａ…光源（複数の演出装置）、２７ｂ…ランプ基板、２９…音響電飾装置、２９ａ…光源（複数の演出装置）、２９ｂ…ランプ基板、３０…開口窓、３６…スピーカ（複数の演出装置）、３８…演出選択スイッチ（第２操作手段）、３８ａ…上側演出選択スイッチ、３８ｂ…下側演出選択スイッチ、４４ａ…演出ランプ、４４ｂ…演出ランプ、４４ｃ…演出ランプ、４４ｄ…演出ランプ、７０…振動センサ、１００…主基板、１０１…主制御基板（遊技制御手段）、１０１ｃ…ＲＡＭ（記憶手段）、１０１ｄ…ＲＡＭクリアスイッチ（第１操作手段）、１１０…周辺基板、１１１…サブ統合基板（演出制御手段）、１１２…ランプ駆動基板、１１３…液晶制御基板、１１９…測距センサ、１５０…キャラクタ体（フランケン）（可動体）、１５２…キャラクタ体（ドラキュラ）（可動体）、１５４…キャラクタ体（オオカミ男）（可動体）、１６６…遮蔽部材（ドラキュラ）（可動体）、１５０ｈ，１５２ｈ，１５３ｆ，１５５…ステッピングモータ、１５０ｎ，１５２ｎ，１５３ｎ，１５４ｎ…フォトセンサ。